(57)【要約】【課題】搬送体の任意の位置に物品を投入できることを維持しつつ物品を風雨から守る。【解決手段】コンベアのベルト（搬送体）を覆うコンベア用カバー１０であって、複数の分割カバー体２０を有する。分割カバー体２０は、ローラ２３においてレールに沿って移動可能である。分割カバー体２０は、レールから離脱可能であるとともに順序が入れ替え可能である。分割カバー体２０は、間隔調整可能な複数のフレーム３０にシート４０が取り付けられて形成されており、伸縮可能である。隣り合う分割カバー体２０同士は、磁石２５によって着脱可能に結合される。【選択図】図４
2016003090.tif 000002
【特許請求の範囲】
【請求項１】
搬送体の作用によって物品を搬送するコンベアの当該搬送体を覆うコンベア用カバーであって、
前記搬送体の長さ方向における一部を覆う複数の分割カバー体を有し、
前記分割カバー体は、前記搬送体の長さ方向に移動可能なものである、
コンベア用カバー。
【請求項２】
請求項１に記載のコンベア用カバーであって、
前記分割カバー体は、前記搬送体の幅方向における両側において当該搬送体の長さ方向に延びる一対のレールに沿って転動するローラを有する、
コンベア用カバー。
【請求項３】
請求項２に記載のコンベア用カバーであって、
前記分割カバー体は、前記一対のレールから離脱可能であるとともに、
前記一対のレールを基準とする前記複数の分割カバー体の順序が入れ替え可能である、
コンベア用カバー。
【請求項４】
請求項１〜請求項３のいずれかに記載のコンベア用カバーであって、
前記分割カバー体が前記搬送体の長さ方向において伸縮可能なものである、
コンベア用カバー。
【請求項５】
請求項４に記載のコンベア用カバーであって、
前記分割カバー体は、前記搬送体をまたぐフレームを当該搬送体の長さ方向に複数有し、当該複数のフレームの少なくとも一部同士の当該搬送体の長さ方向における間隔が調整可能であるとともに、
前記複数のフレーム同士の間の空隙が塞がれており、
前記搬送体の長さ方向における間隔が調整可能である前記複数のフレーム同士の間の空隙は可撓性を有するシートによって塞がれている、
コンベア用カバー。
【請求項６】
請求項１〜請求項５のいずれかに記載のコンベア用カバーであって、
前記搬送体の長さ方向において隣り合う前記分割カバー体同士が着脱可能に結合され得るものである、
コンベア用カバー。
【請求項７】
請求項６に記載のコンベア用カバーであって、
前記搬送体の長さ方向において隣り合う前記分割カバー体同士が磁石によって着脱可能に結合され得るものである、
コンベア用カバー。
【発明の詳細な説明】
【技術分野】
【０００１】
この発明は、物品を搬送するコンベアを覆うカバーに関するものである。
【背景技術】
【０００２】
物品を所定の位置から他の所定の位置まで搬送するために、コンベアが使用される場合がある。
例えば、ベルトコンベアは、一対のローラの間に無端状のベルト（搬送体）が掛け渡されて形成されている。ベルトのうち、上側が往路部となり、下側が復路部となる。そして、回転軸の回転に伴ってベルトが循環し、ベルト（その往路部）に載置された物品が搬送される。
【０００３】
ところで、コンベアは、屋外に設置される場合もある。
その場合は、雨や強風等、悪天候の場合には、円滑に物品を搬送することができない。
すなわち、雨の場合には物品が濡れるし、強風の場合には物品が飛散する場合があるからである。
【０００４】
そこで、コンベア（その搬送体）をカバーで覆うことが考えられる。
その着想によれば、まずは、次の構造のものが考えられる。コンベア（その搬送体）は搬送方向に長く延びるものであるところ、その搬送方向に沿って長く延びるカバーで搬送体を覆う、というものである。その際、複数の分割カバー体が連結されて全体として長く延びるカバーが形成される、というものも考えられる（特許文献１参照）。いずれも、カバーが搬送体を覆うように固定される。
その際、物品の搬送を開始するために搬送体に対して物品を投入する部分においては、カバーが開放されている必要がある。
【０００５】
しかしながら、上述の構造では、次のような問題がある。
すなわち、搬送体のうち、物品が当該搬送体に投入される位置が一定でない場合である。
例えば、貨物船によって輸送されてきた貨物が地上において搬送される場合、次のようになる。
港に接岸した貨物船から当該貨物船に積載されていた貨物は、移動投入装置を介してコンベアの搬送体に投入される。
その際、貨物船の大きさ，種類，接岸位置等によって、貨物が搬出される位置が異なる。このため、コンベアの搬送体のうちのいずれの位置に物品が載置されるかが、そのたびごとに異なることとなる。このため、移動投入装置は、コンベアの搬送体に沿って設けられたレール上を移動可能とされているのである。
【０００６】
搬送体のうち、移動投入装置を介して物品が搬送体に対して投入される部分においては、カバーによって覆われていない必要がある。
しかしながら、上述のように、搬送体のうち物品が投入される位置が一定でない場合には、結果として搬送体をカバーで覆うことができないこととなる。
【先行技術文献】
【特許文献】
【０００７】
【特許文献１】特開２００７−０７６８０４号公報
【発明の開示】
【発明が解決しようとする課題】
【０００８】
本発明は、コンベアの搬送体の任意の位置に物品を投入することができることを維持しつつ、コンベアによって搬送される物品を風雨から守ることができるコンベア用カバーを提供することを課題とする。
【課題を解決するための手段】
【０００９】
上記の課題を解決するために、請求項１に係る発明は、搬送体の作用によって物品を搬送するコンベアの当該搬送体を覆うコンベア用カバーであって、前記搬送体の長さ方向における一部を覆う複数の分割カバー体を有し、前記分割カバー体は、前記搬送体の長さ方向に移動可能なものである、コンベア用カバーである。
【００１０】
この発明のコンベア用カバーでは、分割カバー体が、搬送体のうち移動投入装置が存在している部分を回避しつつ、搬送体を覆う。こうして、移動投入装置を介して物品が搬送体に対して投入されることが確保されつつ、搬送体が分割カバー体によって覆われ、搬送体によって搬送される物品が風雨にさらされることが防止される。
そして、この発明のコンベア用カバーでは、移動投入装置が搬送体に沿って移動した場合には、当該コンベア用カバーのうち移動投入装置を基準に双方の側の分割カバー体が搬送体の長さ方向に移動することによって、当該コンベア用カバーが移動投入装置と干渉することが回避されつつ、当該コンベア用カバーが搬送体を覆うことが維持される、ということが可能になり得る。
その一態様として、例えば、移動投入装置を基準に分割カバー体が搬送体に対応する以上に存在する場合等がある。
【００１１】
請求項２に係る発明は、請求項１に係る発明のコンベア用カバーであって、前記分割カバー体は、前記搬送体の幅方向における両側において当該搬送体の長さ方向に延びる一対のレールに沿って転動するローラを有する、コンベア用カバーである。
【００１２】
この発明では、請求項１に係る発明のコンベア用カバーでの作用効果に加えて、次の作用効果が得られる。
すなわち、分割カバー体は、その対状のローラにおいて一対のレールに沿って移動するため、円滑に移動することができる。すなわち、分割カバー体が搬送体の幅方向に位置ずれすること等が回避される。
また、本来的に一対のレールが移動投入装置が移動するためのものであり、それを利用して分割カバー体が移動する場合は、分割カバー体が移動するためのレールを別個設ける必要がなく、便利である。
【００１３】
請求項３に係る発明は、請求項２に係る発明のコンベア用カバーであって、前記分割カバー体は、前記一対のレールから離脱可能であるとともに、前記一対のレールを基準とする前記複数の分割カバー体の順序が入れ替え可能である、コンベア用カバーである。
【００１４】
この発明のコンベア用カバーでは、請求項２に係る発明のコンベア用カバーの作用効果に加えて、次の作用効果が得られる。
すなわち、この発明のコンベア用カバーでは、移動投入装置が搬送体に沿って移動した場合には、当該コンベア用カバーのうち、移動投入装置を基準に一方の側の分割カバー体が他方の側に入れ替わることによって、当該コンベア用カバーが移動投入装置と干渉することが回避されつつ、当該コンベア用カバーが搬送体を覆うことが維持される、ということが可能である。
【００１５】
請求項４に係る発明は、請求項１〜請求項３のいずれかに係る発明のコンベア用カバーであって、前記分割カバー体が前記搬送体の長さ方向において伸縮可能なものである、コンベア用カバーである。
【００１６】
この発明のコンベア用カバーでは、請求項１〜請求項３のいずれかに係る発明のコンベア用カバーの作用効果に加えて、次の作用効果が得られる。
すなわち、この発明のコンベア用カバーでは、移動投入装置が搬送体に沿って移動した場合には、当該コンベア用カバーのうち、移動投入装置を基準に一方の側の分割カバー体（そのうちの一部又は全部）が収縮し、他方の側の分割カバー体（そのうちの一部又は全部）が伸長することによって、当該コンベア用カバーが移動投入装置と干渉することが回避されつつ、当該コンベア用カバーが搬送体を覆うことが維持される、ということが可能である。
なお、分割カバー体の伸縮も、分割カバー体の移動（請求項１）の概念に含まれるものとする。分割カバー体が伸縮する際には、分割カバー体の少なくとも一部は移動するからである。
【００１７】
請求項５に係る発明は、請求項４に係る発明のコンベア用カバーであって、前記分割カバー体は、前記搬送体をまたぐフレームを当該搬送体の長さ方向に複数有し、当該複数のフレームの少なくとも一部同士の当該搬送体の長さ方向における間隔が調整可能であるとともに、前記複数のフレーム同士の間の空隙が塞がれており、前記搬送体の長さ方向における間隔が調整可能である前記複数のフレーム同士の間の空隙は可撓性を有するシートによって塞がれている、コンベア用カバーである。
【００１８】
この発明のコンベア用カバーでは、請求項４に係る発明の作用効果がより具体的に得られる。
すなわち、分割カバー体が搬送体の長さ方向に複数のフレームを有するとともに、その複数のフレーム同士の間の空隙が塞がれていることによって、分割カバー体によって搬送体（その分割カバー体に対応する部分）が覆われることが確保され、搬送体によって搬送される物品が風雨から守られることが確保される。
また、複数のフレームのうちの少なくとも一部同士の間隔が調整可能であって、当該複数のフレームのうちの少なくとも一部同士の空隙が可撓性を有するシートによって塞がれているため、当該複数のフレームのうちの少なくとも一部同士の間隔が調整可能であることが維持される。そして、当該複数のフレームのうちの少なくとも一部同士の間隔が調整されることによって、分割カバー体が搬送体の長さ方向に伸縮することが確保される。
【００１９】
請求項６に係る発明は、請求項１〜請求項５のいずれかに係る発明のコンベア用カバーであって、前記搬送体の長さ方向において隣り合う前記分割カバー体同士が着脱可能に結合され得るものである、コンベア用カバーである。
【００２０】
この発明のコンベア用カバーでは、請求項１〜請求項５のいずれかに係る発明の作用効果に加えて、次の作用効果が得られる。
すなわち、この発明のコンベア用カバーでは、搬送体の長さ方向において隣り合う分割カバー体同士が着脱可能に結合され得るものであるため、当該分割カバー同士が結合された状態にされることによって、前述のように、コンベア用カバーのうち移動投入装置を基準に双方の側の分割カバー体を移動（伸縮を含む）させる際に、容易に、その移動を行うことができる。すなわち、結合されている分割カバー体のうちの一又は一部を移動させることによって、当該一又は一部の分割カバー体以外の分割カバー体を含んだ複数の分割カバー体を移動させることが可能である。
また、長さ方向において隣り合う分割カバー体について、それまで結合状態であったものを分離させることによって、請求項３に係る発明において、移動投入装置を基準に一方の側の分割カバー体が他方の側に入れ替えることが確保される。
【００２１】
請求項７に係る発明は、請求項６に係る発明のコンベア用カバーであって、前記搬送体の長さ方向において隣り合う前記分割カバー体同士が磁石によって着脱可能に結合され得るものである、コンベア用カバーである。
【００２２】
この発明のコンベア用カバーでは、請求項６に係る発明の作用効果に加えて、次の作用効果が得られる。
すなわち、この発明のコンベア用カバーでは、搬送体の長さ方向において隣り合う分割カバー体同士を着脱可能に結合させるものが磁石であるため、当該両分割カバー体を当接（又は近接）させることにより、その磁石の吸引力によって容易に当該両分割カバー体を結合させることができる。また、結合状態の当該両分割カバー体を所定以上の力（すなわち、磁石の吸引力以上の力）で離隔させようとすることによって、容易に当該両分割カバー体を分離させることができる。
なお、「磁石によって着脱可能に結合」には、磁石同士による吸着の場合と、磁石と磁性体とによる吸着の場合がある。前者の場合の代表例は、分割カバー体の末尾／先頭の部分にＮ極又はＳ極が露出する磁石が設けられているものであり、後者の場合の代表例は、分割カバー体（少なくともその末尾又は先頭の部分）が鉄等の磁性体によって形成されているとともに、分割カバー体の先頭又は末尾の部分に磁石が固定されているものである。
【図面の簡単な説明】
【００２３】
【図１】本発明の一実施例のコンベア用カバーが使用されるベルトコンベア等を示す平面図である。
【図２】本発明の一実施例のコンベア用カバーが使用されるベルトコンベア等を示す斜視図である。
【図３】本発明の一実施例のコンベア用カバーを構成する分割カバー体を示す分解斜視図である。
【図４】本発明の一実施例のコンベア用カバーを示す斜視図である。
【図５】本発明の一実施例のコンベア用カバーの基本的な使用状態を示す斜視図である。
【図６】本発明の一実施例のコンベア用カバーの使用状態を示す平面図である。分割カバーの伸縮によって移動格納装置の移動に対応する場合を示す。
【図７】本発明の一実施例のコンベア用カバーの使用状態を示す平面図である。分割カバーの移し替え等によって移動格納装置の移動に対応する場合を示す。
【発明を実施するための最良の形態】
【００２４】
次に、本発明の一実施例について図面に基づいて説明する。
例えば、図１に示すように、コンベア５０は、港の埠頭に設置されている。貨物船Ｓは、埠頭の近傍に横付け状態で停泊する。コンベア５０は、埠頭の海岸線にほぼ平行に延びている。結果として、コンベア５０は、貨物船Ｓの長さ方向にほぼ平行に延びていることとなる。
コンベア５０の背後には、倉庫群（図示省略）が存在している。
【００２５】
図１及び図２に示すように、コンベア５０はベルトコンベアであり、無端状のベルト６０（搬送体）が一対のローラ６５の間に掛け渡されている。
ベルト６０のうちの上側の部分は往路部６０ａであって、上流側から下流側に向かって進行する。ベルト６０のうちの下側の部分は復路部６０ｂであって、下流側から上流側に向かって進行する。
なお、ベルト６０の往路部６０ａは、図面においては便宜的に平面状に記載されているが、実際には、その左右両側の部分（左右の両縁部及びその近傍）が、斜め上方に向かって延びている。
【００２６】
ベルト６０（往路部６０ａ）には、一対のレール７０が付随している。
一対のレール７０は、ベルト６０を挟んで、すなわちベルト６０（往路部６０ａ）の進行方向を基準にベルト６０の左右両側に設けられている。両レール７０（その上端）の高さは、ベルト６０の往路部６０ａの高さよりも低いものである。
【００２７】
ベルト６０（コンベア５０）に対して、移動投入装置８０が設けられている。
移動投入装置８０は全体としてほぼ筒状をしており、上方に開口部８１を有しているとともに、下方にも開口部（図示省略）を有している。
移動投入装置８０の左右一対の下縁部には複数のローラ８３が設けられている。そして、左右一対のローラ８３は、左右一対のレール７０上を転動する。こうして、移動投入装置８０は、ベルト６０の長さ方向に沿って移動可能である。そして、貨物船Ｓの位置（その長さ方向における物品の搬出位置）に応じて、移動投入装置８０が所定の位置に位置づけられる。
こうして、貨物船ＳからコンベアＣ１等によって搬出された物品が、移動投入装置８０を介して、ベルト６０（往路部６０ａ）に対して投入される。すなわち、その物品は、移動投入装置８０の上方の開口部８１に投入され、下方の開口部から落下し、ベルト６０（往路部６０ａ）上に位置づけられることとなる。
なお、移動投入装置８０は、ベルト６０の長さ方向に沿って、複数設けられる場合もある。
また、左右一対のレール７０は、本来的に、移動投入装置８０が移動するために設けられているものである。
【００２８】
図３〜図５に示すように、コンベア用カバー１０は、複数の分割カバー体２０によって形成されている。各分割カバー体２０は同一の構造を有している。
【００２９】
各分割カバー体２０は、複数（例えば５つ）のフレーム３０，連結材３５，シート４０等を有している。
各フレーム３０は、ほぼ同一の構造を有している。各フレーム３０は、横材３１及び左右一対の縦材３２を有しており、両縦材３２の上端部を横材３１が連結している。横材３１の長さは、左右一対のレール７０（図２）の間隔に対応している。一対の縦材３２は、レール７０（図２）を基準にしたベルト６０の往路部６０ａの高さよりも十分に高い（長い）ものである。
【００３０】
図３に示すように、隣接するフレーム３０同士は、一対の連結材３５によって連結されている。
両連結材３５は、Ｘ状に交差し、各連結材３５の中央長さ位置において回動可能に連結されている。また、各連結材３５は、その下端部において縦材３２に対して回動可能に連結され、その上端部において縦材３２に対して、その縦材３２の長さ方向に移動可能にかつ回動可能に連結されている。
こうして、隣接するフレーム３０同士の間隔が伸縮可能である。
【００３１】
分割カバー体２０のフレーム３０には、シート４０が取り付けられている。
すなわち、シート４０は、すべての隣接するフレーム３０同士の間隔が広げられた状態の全体の長さに対応する長さを有しているとともに、分割カバーの横材３１及び両縦材３２の長さの合計にほぼ対応する幅（平面状態における幅）を有している。こうして、分割カバー体２０の上部（そのうちの全部）及び左右の側部（そのうちの全部、又は、下縁部及びその近傍を除くほぼ全部）がシート４０によって覆われている。
シート４０は可撓性を有している。このため、図４に示すように、すべての隣接するフレーム３０同士の間隔が広げられた際には、シート４０のうち分割カバー体２０の上部及び左右の側部に該当する部分は各々平面状となり、隣接するフレーム３０同士の間隔が狭められた際には、シート４０の上記各部分は波状に折れ曲がる。
このため、前述したように隣接するフレーム３０同士の間隔が伸縮されることによって、分割カバー体２０の長さが伸縮される。
【００３２】
図３に示すように、分割カバー体２０のうち、両端のフレーム３０の下端部にはローラ２３が設けられている。各ローラ２３は、各レール７０（図２）上を転動する。
このため、分割カバー体２０（コンベア用カバー１０）は、ベルト６０の往路部６０ａを跨いで、一対のレール７０に沿って移動可能である。
また、ローラ２３（分割カバー体２０）は、作業員によって分割カバー体２０が上方に持ち上げられることにより、レール７０から離脱する。
【００３３】
図４に示すように、分割カバー体２０のうちの複数のフレーム３０のうち、末尾側（上流側）のフレーム３０（横材３１及び一対の縦材３２）の末尾側（分割カバー体２０としての末尾側）の面には、磁石２５が固定されている。その磁石２５はＮ極及びＳ極のうちの一方が末尾側（同前）に露出している。
同様に、分割カバー体２０のうちの複数のフレーム３０のうち、先頭側（下流側）のフレーム３０（横材３１及び一対の縦材３２）の先頭側（分割カバー体２０としての先頭側）の面にも、磁石２５（図示省略）が固定されている。その磁石２５はＮ極及びＳ極のうちの他方が先頭側（同前）に露出している。
このため、隣接する分割カバー体２０の磁石２５同士が吸着することによって、複数の分割カバー体２０が連結される。こうして、コンベア用カバー１０が形成されている。
また、連結された分割カバー体２０同士については、所定以上の力で引き離そうとされることによって、磁石２５同士の吸着が外れる。このようにして、連結状態の分割カバー体２０が容易に分離される。
【００３４】
次に、このコンベア用カバー１０の使用方法及び作用効果について、図５〜図７等に基づいて説明する。
図５に示すように、コンベア用カバー１０が、コンベア５０（図２）のベルト６０の往路部６０ａのうち移動投入装置８０が存在する部分を除くすべての部分（又はほぼすべての部分）を覆うように、レール７０上に設置される。
すなわち、複数の分割カバー体２０が連結されて形成されているコンベア用カバー１０は、移動投入装置８０に対応する部分においてのみ分離され、移動投入装置８０が存在する部分を回避して、レール７０上に設置される。
【００３５】
移動投入装置８０の位置は、貨物船Ｓ（図１）の位置（正確には、貨物船Ｓから貨物が搬出される位置）に対応するようにされている。そして、貨物船ＳからコンベアＣ１によって搬出される貨物（物品）が、移動投入装置８０（開口部８１）に投入され、ベルト６０の往路部６０ａのうちの移動投入装置８０の直下の部分に落下する。
このようにして、貨物船Ｓ（図１）の貨物（物品）がコンベア５０（ベルト６０の往路部６０ａ）に移され、その物品は、循環移動するベルト６０（その往路部６０ａ）によって搬送されていき、コンベアＣ２（図１）に受け渡され、所定の倉庫に収容される。
【００３６】
このようにコンベア５０で物品が搬送される際、上述のように、そのベルト６０の往路部６０ａ（その上面）上の物品は、コンベア用カバー１０によって覆われているため、風雨にさらされることが防止される。
また、ベルト６０の往路部６０ａのうち移動投入装置８０よりも上流側の部分もコンベア用カバー１０によって覆われているため、その部分も雨水によって濡れることが防止される。このため、濡れたベルト６０上に物品が載置されることも防止され、その点でも物品が濡れることが防止される。
なお、ベルト６０の復路部６０ｂは往路部６０ａの直下に位置していているとともに、復路部６０ｂのうち往路部６０ａの上面に対応するのは下面であり、復路部６０ｂの下面は本来的に雨水によって濡れることが防止されている。
【００３７】
次の貨物船Ｓが入港し接岸した際には、一般的に、その貨物船Ｓの位置（正確には、貨物船Ｓから貨物が搬出される位置）が前回の場合とは異なる。その場合は、移動投入装置８０を移動させる必要がある。その際、以下のようにされる。
【００３８】
図６に示すように、前回（図６（ａ））の貨物船Ｓの位置（移動投入装置８０の位置）と今回（図６（ｂ））の貨物船Ｓの位置（移動投入装置８０の位置）があまり大きくは異ならない場合は、次のようにされる。
図６（ａ）→（ｂ）に示すように、作業員が、コンベア用カバー１０のうち移動投入装置８０を基準に一方の側の部分（そのうちの所定の分割カバー体２０）を収縮させて、移動投入装置８０を所定の位置に移動させるとともに、コンベア用カバー１０のうち移動投入装置８０を基準に他方の側の部分（そのうちの所定の分割カバー体２０）を伸長させる。
【００３９】
また、図７に示すように、前回（図７（ａ））の貨物船Ｓの位置（移動投入装置８０の位置）と今回（図７（ｂ））の貨物船Ｓの位置（移動投入装置８０の位置）が大きく異なる場合は、次のようにされる。
図７（ａ）→（ｂ）に示すように、作業員が、コンベア用カバー１０のうち移動投入装置８０を基準に一方の側の分割カバー体２０を移動投入装置８０を基準に他方の側に移し替える。
すなわち、図７（ａ）→（ｂ）に示すように、コンベア用カバー１０のうち移動投入装置８０を基準に一方の側の所定の分割カバー体２０をレール７０から外して、移動投入装置８０を所定の位置に移動させるとともに、その外した分割カバー体２０をコンベア用カバー１０のうち移動投入装置８０を基準に他方の側の部分に対して追加する。
また、その際、単に、分割カバー体２０を移し替えるのみでもよいし、図６に基づいて説明したように、所定の分割カバー体２０を伸長させ、他の所定の分割カバー体２０を収縮させてもよい。図７は、そのように分割カバー体２０の移動と伸長・収縮を併用した場合が記載されている。これによって、移動投入装置８０を挟んで移し替える分割カバー体２０の数を減少させることができる。
【００４０】
以上のように、このコンベア用カバー１０では、貨物船Ｓの位置に応じて移動投入装置８０の位置を容易に変更することができるとともに、移動投入装置８０が移動されても、コンベア５０のベルト６０の往路部６０ａがコンベア用カバー１０によって覆われることが容易に維持される。
こうして、このコンベア用カバー１０では、コンベア５０によって搬送される物品を常に風雨から守ることが容易にできるのである。
【００４１】
なお、上記のものはあくまで本発明の一実施例にすぎず、当業者の知識に基づいて種々の変更を加えた態様で本発明を実施できることはもちろんである。
【００４２】
例えば、隣り合う分割カバー体（２０）は、磁石（２５）ではなく、他の構造で着脱可能に結合されるものでもよい。すなわち、分割カバー体２０のうちの複数のフレーム３０のうち、末尾側（上流側）又は先頭側（下流側）のうちの一方のフレーム３０（一対の縦材３２）に環状の被係合材が設けられ、同じく他方のフレーム３０（一対の縦材３２）には、先端部に係合部を有し基端部を中心に揺動することによって被係合部に対して係合部が着脱可能に係合する係合材が設けられていてもよい。
また、コンベア（５０）はベルトコンベアに限らず、他の方式のものでもよい。すなわち、搬送体は、ベルト（６０）以外のものでもよい。
【符号の説明】
【００４３】
１０  コンベア用カバー
２０  分割カバー体
２３  ローラ
２５  磁石
３０  フレーム
４０  シート
５０  コンベア
６０  ベルト（搬送体）
７０  レール
【図１】
2016003090.tif 000003
【図２】
2016003090.tif 000004
【図３】
2016003090.tif 000005
【図４】
2016003090.tif 000006
【図５】
2016003090.tif 000007
【図６】
2016003090.tif 000008
【図７】
2016003090.tif 000009